(57)【要約】【課題】従来の携帯電話機などにおいて、折畳んだ状態でケース表面の全体を発光させようとすると、ケース表面を形成する部材に光が吸収され、期待するほどの明るさで照明が行えないという課題を生じていた。【解決手段】本発明により、ケース２を構成する導光板６の内面に塗装面７を設け、導光板内を伝播させる光で塗装面（塗装膜７）を照明して成る携帯用機器の装飾用灯具であり、導光板と塗装面との間には、高屈折率膜および低屈折率膜の任意数の層で形成した多層膜９を形成し、この多層膜により塗装面側に吸収される光量を調整して導光板の導光作用を維持させたことを特徴とする携帯用機器の照明装置とすることで課題を解決する。【選択図】図５
2008011356.tif 000002
【特許請求の範囲】
【請求項１】
ケースを構成する導光板の内面に塗装面を設け、前記導光板内を伝播させる光で前記塗装面を照明して成る携帯用機器の照明用灯具であり、前記導光板と前記塗装面との間には、高屈折率膜および低屈折率膜の任意数の層で形成した多層膜を形成し、該多層膜により前記塗装面側に吸収される光量を調整して前記導光板の導光作用を維持させたことを特徴とする携帯用機器の照明装置。
【請求項２】
前記多層膜は前記高屈折率膜または前記低屈折率膜の少なくとも１層により成ることを特徴とする請求項１記載の携帯用機器の照明装置。
【請求項３】
前記多層膜は、金属膜、酸化金属膜、有機ポリマー膜の何れかにより構成されることを特徴とする請求項１または請求項２記載の携帯用機器の照明装置。
【発明の詳細な説明】
【技術分野】
【０００１】
本発明は、携帯電話機、携帯用のゲーム機など携帯用機器の外装の一部を光らせ、装飾効果を向上させるために小型化した照明装置に関するものである。
【背景技術】
【０００２】
従来の携帯電話機９０を示すものが図１３であり、この携帯電話機９０には、ダイヤル押釦９１ａが設けられた上ケース９１と、液晶表示器などによる表示部９２と、受話部９３と、この携帯電話機９０の不使用時は前記上ケース９１のダイヤル押釦９１ａを覆うカバー９４とから構成され、必要に応じては、アンテナ９５、ストラップ９６なども取付けられている。
【０００３】
図１４は、上記携帯電話機９０をＤ−Ｄ線で断面して内部構成を示すものであり、図は上ケース９１がカバー９４で覆われている状態で示してある。そして、前記上ケース９１には開口が設けられ、この開口から前記ダイヤル押釦９１ａの頂面（キートップ）が露出されている。
【０００４】
このときに、前記ダイヤル押釦９１ａは前記携帯電話機９０の内部に設けられたプリント配線板９１ｂ上に設置された板バネ９１ｃにより適宜のストロークが与えられており、そして、前記ダイヤル押釦９１ａの何れかを押すことで、当該のダイヤル押釦９１ａのスイッチが投入される。
【０００５】
ここで、前記携帯電話機９０には、夜間の使用に備えて前記板バネ９１ｃとダイヤル押釦９１ａとの間には透明樹脂などによる導光板９７が設けられると共に、この導光板９７の適宜位置には貫通孔が設けられ、ＬＥＤ９８が挿入されていて、前記導光板９７の板厚内に光が入射するようにされている。
【０００６】
よって、前記導光板９７内では大気との境界面で屈折率の差による内面反射が行われ、光が前記導光板９７内全面はほぼ均一な明るさとなり、この導光板９７とダイヤル押釦９１ａとを適宜位置で接触させておくと、ダイヤル押釦９１ａにも光が入射し、夜間でもダイヤル押釦９１ａのキートップは明るく照明されるものとなる。
【０００７】
このように、導光板９７を採用することで、ダイヤル押釦９１ａの１個毎にＬＥＤ９８を設ける必要はなくなり、消費電力が低減し、携帯電話機９０など携帯用機器で重要視される継続使用時間の延長が可能となるものとなる。
【特許文献１】特開平０６−０６１９１３号公報
【発明の開示】
【発明が解決しようとする課題】
【０００８】
しかしながら、近年においては携帯電話機の普及も著しく、また、機能も多機能化し、例えば、電話の着信、メールの着信など表示すべき機能も多様化し、従来の単純なダイヤル押釦を光らせる程度の照明装置では対応が困難となってきているという問題点を生じている。
【０００９】
また、上記した携帯電話機の普及に伴い、電話会社の数も増えると共に、携帯電話機の機種も増え、販売店の店頭での見栄えの良さなどにより売れ行きにも差が出る状態となっており、装飾性も要求されるものとなっている。よって、着信時などには携帯電話機のケースの一部が発光するなど斬新な照明方法の開発が求められている。
【課題を解決するための手段】
【００１０】
本発明は、上記した従来の課題を解決するための具体的な手段として、ケースを構成する導光板の内面に塗装面を設け、前記導光板内を伝播させる光で前記塗装面を照明して成る携帯用機器の装飾用灯具であり、前記導光板と前記塗装面との間には、高屈折率膜および低屈折率膜の任意数の層で形成した多層膜を形成し、該多層膜により前記塗装面側に吸収される光量を調整して前記導光板の導光作用を維持させたことを特徴とする携帯用機器の照明装置を提供することで、例えば、携帯電話機の着信時にはケースが発光するなど、斬新な照明方法を提供可能として、課題を解決するものである。
【発明の効果】
【００１１】
本発明により、外ケースを構成する導光板と、この外ケースの色彩を定める塗装膜の間に、高屈折率膜と低屈折率膜を積層した多層膜、或いは、高屈折率膜、または、低屈折率膜の何れかで形成した膜を設けることで、前記した塗装膜の側に光が吸収されることをなくして、前記外ケースのより広い範囲が照明されるものとして、装飾性などを高める効果の向上が計れるものとする。
【発明を実施するための最良の形態】
【００１２】
つぎに、本発明を図に示す実施形態に基づいて詳細に説明する。図１に符号１で示すものは携帯電話機であり、近年の携帯電話機１は、液晶表示器などによる表示部２ａが取付けられた表示部用外ケース２と、ダイヤル用押釦な操作部３ａが設けられた本体部用外ケース３とがヒンジ４で接続されており、使用しない時には、前記表示部２ａと操作部３ａとが内側となるように前記ヒンジ４で折り畳まれる。
【００１３】
従って、使用していない場合の形態は、図２に示すように表示部用外ケース２と本体部用外ケース３とで囲まれる略箱状の形状となり、デザイン的にも工夫が凝らされている表示部２ａ、操作部３ａは外部からは観視できないものとなり、結果的に折り畳んだ状態では、表示部用外ケース２と本体部用外ケース３との形状、色、質感などで他社との相違を演出せざるを得ないものとなる。
【００１４】
そこで、折り畳んだ状態で最も注目される場所である表示部用外ケース２に、着信時などに点灯する照明装置を取付けることが考えられているが、前記表示部用外ケース２は、内部構造が透視されないように濃色部材による形成、或いは濃色塗装が行われているので、前記表示部用外ケース２の中にＬＥＤランプなどの光源５を設置し、透過光で照明しようとする方式では、図３に示すように光源５の直近の極めて狭い範囲が光るのみで、期待するほどに充分な効果は得られないものであることが実情である。
【実施例１】
【００１５】
そこで、発明者は、図４に示すように前記表示部用外ケース２の一部を透明部材で形成し、内面側にレンズカット６ａを設けて導光板６とし、このように形成された導光板６のレンズカット６ａ側に任意色の塗料による塗装膜７を形成し、光源５からの光を導光板６の板厚面から入射させることで、導光板５内の光の伝播とレンズカット６ａによる反射とにより広い範囲の照明が期待できる構成を実施例１として形成し、評価を行った。
【００１６】
このようにして、形成した実施例１の表示部用外ケース２の試験の結果では、導光板６と塗装膜７との接触位置における光の吸収が著しく、期待するほどに導光板６を設けたことによる照射範囲の広がりが得られないことが確認された。尚、導光板６、即ち、表示部用外ケース２の内面側に塗装膜７を形成するのは、この表示部用外ケース２を携帯電話機１の表面に取付けるときの両面接着テープ８などを外部から見えなくするためである。
【実施例２】
【００１７】
実施例１の結果に鑑みて、発明者は導光板６（レンズカット６ａも含む）と、塗装膜７との間での光の吸収を少なくする手段として、導光板６と塗装膜７との間に多層膜９を設け、この多層膜９を適宜な反射率のものとすることで、導光板６から塗装膜７へ漏れる光量を制限し、より広い範囲の表示部用外ケース２を発光させることができると考え、前記多層膜９を設けた表示部用外ケース２を図５に示す第二実施例として形成した。
【００１８】
ここで、まず、前記多層膜９について説明を行うと、基本的な構成としては、例えばＴｉＯ２（屈折率＝１．８）など屈折率の高い部材で形成した層と、例えばＳｉＯ２（屈折率１．４６））など屈折率の低い部材で形成した層とを交互に積層したもので、膜厚、積層する層数などを調整することで反射率、反射或いは透過させる波長などを調整できるものである。
【００１９】
よって、この第二実施例においては、図５にも示したように導光板６のレンズカット６ａが施された側に多層膜９が予めに形成され、その後に塗装膜７が形成されるものとされている。尚、このときに、前記導光板６に形成される多層膜９は、携帯電話機１の表示部用外ケース２としての見栄えに影響するものであるので、膜厚、層数などは、設計者などの意図に従い調整される。また、多層膜９に適宜な反射率が確保されるときには、前記レンズカット６ａを省略する、或いは、小型化するなどは自由である。
【００２０】
尚、この発明を成すための試作、検討の結果では、膜厚は１００nm〜２００nm程度、反射率は１５％以上、積層数は２〜８層の範囲で良好な結果が得られたが、本発明は、これを限定するものではなく、デザイン上などの要求によっては、高屈折率膜の一層であっても良く、また、一層であれば有機ポリマーの塗装など簡便な手段でも容易に形成できる可能性がある。
【００２１】
また、特に表示部用外ケース２を金属色系とする場合には、前記多層膜９も、例えば、アルミニウムなどの蒸着膜など金属膜でも良く、この場合には、蒸着の膜厚を調整するなどして、ハーフミラー化し、必要とされる反射率が得られるようにする。この場合にも層数は一層であっても良い。
【００２２】
以上のように多層膜９を設けることで、前記表示部用外ケース２の予定の広さの範囲を光らせるものができることが実現可能となることが確認されたので、以降に、導光板６に光を入射させるための光取込部６ｂの形状の例をそれぞれの実施例として示す。
【実施例３】
【００２３】
図６は、光源５を表示部用外ケース２の背（内）面側に設けるときの例であり、前記導光板６の少なくとも１箇所には、前記導光板の板厚面と平行する中心線を有する放物線Ｐの焦点ｆを通り、前記中心線と直交する軸で回転させたときに生じる略円錐状の凹部とした形状の光取込部６ｂが前記表示部用外ケース２の表（外）面側に形成されている。
【００２４】
そして、前記光取込部６ｂを形成するときの基準とした放物線Ｐの焦点位置近傍には、ＬＥＤランプなど光源５が配置されている。このとき、前記光取込部６ｂと光源５との間には、前記レンズカット６ａ、および、塗装膜７の形成は省略されている。
【００２５】
このようにすることで、光源５から放射された光は、まず、導光板６を形成する透明樹脂部材内に入射し、そして、前記光取込部６ｂに達する。このときには、光は導光板６が形成された高屈折率部材側に存在するので、大気で形成された凹部であるである光取込部６ｂでは内面全反射を生じ、光は導光板６の板厚面方向と平行方向に進行方向が変換され、これにより、導光板６内に取り込まれた状態となり、実施例２でも説明したようにレンズカット６ａの作用などにより導光板６、即ち、表示部用外ケース２の表面を明るく照明する。
【００２６】
尚、実施例３においては、前記導光板６の板厚などの条件によっては、前記光源５からの光が前記光取込部６ｂで全反射せず一部が直射光として直接に観視者に達し、違和感を与える可能性がある。このような場合には、前記した凹部にアルミの蒸着などで全反射膜６ｃを形成するなどで防止可能であり、或いは、不透明板などを貼着することで防止しても良い。また、これらにより、新たなデザイン効果も奏することができる。また、前記光取込部６ｂと光源５との間には、導光板６、および、多層膜９が形成されているが、光源５からの光を取込易くするため、この部分のみ多層膜９を省略しても良い。
【実施例４】
【００２７】
図７は、上記光取込部６ｂからの光モレに当初から対策したものであり、前記導光板６の光取込部６ｂを設けるべき位置には例えば円形とした開口６ｄが設けられている。加えて、前記開口６ｄに嵌着できる径とされた部分が設けられ、挿入側には光取込部６ｂとほぼ同形状とした円錐状部１０ａが設けられた栓部１０が別体として形成され、この円錐状部１０ａには反射膜１０ｂが設けられている。
【００２８】
そして、前記栓部１０は円錐状部１０ａ側から開口６ｄに挿入され固定が行われる。そして開口６ｄ、即ち、栓部１０の中心線上には光源５が設けられていて、この光源５からの光は円錐状部１０ａで全反射して導光板６の板厚内に入射させられる。ここで、栓部１０は不透明部材で形成されており、必要部分に反射面処理が行われているものであるので、光源５からの直射光が表示部用外ケース２を透過して見えることを防止できると共に、前記栓部１０の表面側のデザインに工夫を凝らすことで斬新な外観が提供できるものとなる。
【実施例５】
【００２９】
尚、実施例３においても、実施例４においても、光を導光板６に取り込む部分は略円錐状として形成されていたが、本発明は限定するものでなく、例えば、図８〜図１０に示すようにＶ字形の溝状凹部１１として形成し、この溝状凹部１１には、１個以上の光源５を対応させて導光板内に光を導入させ、更に、前記溝状凹部１１の外面側にはエンブレム１２などを取付け、このエンブレム１２から光が放射されているように観視させても良いものである。
【実施例６】
【００３０】
更には、図１１〜図１２に示すように、表示部用外ケース２の一方の短辺近傍など、導光板６の中心から外れた部分に光取込部６ｂを形成し、表示部用外ケース２の一端側から他端側に向けて照明を行っても良いものである。何れの実施例においても、本発明により導光板６と塗装膜７との間に多層膜９が設けられていることで、塗装膜７に光源５からの光が吸収されることがなくなり、１つの光源５からの光で広い範囲が照明できるものとなる。尚、実施例５、実施例６においても実施例４と同様に別部材で形成した栓部１０を採用する構成とするのは自在である。
【図面の簡単な説明】
【００３１】
【図１】本発明に係る携帯電話機を使用時の状態で示す説明図である。
【図２】同じく本発明に係る携帯電話機を折畳時の状態で示す説明図である。
【図３】表示部用外ケースに照明を設けるときの一例を示す説明図である。
【図４】本発明に係る照明装置の第一実施例を示す断面図である。
【図５】本発明に係る照明装置の第二実施例を示す断面図である。
【図６】本発明に係る照明装置の第三実施例を示す断面図である。
【図７】本発明に係る照明装置の第四実施例を示す断面図である。
【図８】本発明に係る照明装置の第五実施例を示す正面図である。
【図９】図８のＡ−Ａ線に沿う断面図である。
【図１０】図８のＢ−Ｂ線に沿う断面図である。
【図１１】本発明に係る照明装置の第六実施例を示す正面図である。
【図１２】図１１のＣ−Ｃ線に沿う断面図である。
【図１３】従来の携帯電話機を使用時の状態で示す説明図である。
【図１４】携帯電話機を携帯時の状態で示す説明図である。
【符号の説明】
【００３２】
１…携帯電話機
２…表示部用外ケース
３…本体部用外ケース
４…ヒンジ
５…光源
６…導光板
６ａ…反射カット
６ｂ…光取込部
６ｃ…全反射膜
６ｄ…栓部
７…塗装膜
８…両面接着テープ
９…多層膜
１０…栓部
１０ａ…円錐状部
１０ｂ…反射膜
１１…溝部
【図１】
2008011356.tif 000003
【図２】
2008011356.tif 000004
【図３】
2008011356.tif 000005
【図４】
2008011356.tif 000006
【図５】
2008011356.tif 000007
【図６】
2008011356.tif 000008
【図７】
2008011356.tif 000009
【図８】
2008011356.tif 000010
【図９】
2008011356.tif 000011
【図１０】
2008011356.tif 000012
【図１１】
2008011356.tif 000013
【図１２】
2008011356.tif 000014
【図１３】
2008011356.tif 000015
【図１４】
2008011356.tif 000016